【手続補正書】
【提出日】平成28年12月15日(2016.12.15)
【手続補正１】
【補正対象書類名】特許請求の範囲
【補正対象項目名】全文
【補正方法】変更
【補正の内容】
【特許請求の範囲】
【請求項１】
第１コンセントを介して供給される電力を使って動作する第１機器と、第２コンセントを介して供給される電力を使って動作する第２機器と、前記第１機器および前記第２機器への電力供給を制御するための電力制御装置と、を備える電力制御システムであって、
前記電力制御装置は、
前記第１機器および前記第２機器が関連していることを示す情報を保持する保持手段と、
前記第１機器への電力供給が停止される場合に、前記保持手段によって保持された前記情報に基づいて、前記第２機器への電力供給も停止させる電力制御手段と、
を有することを特徴とする電力制御システム。
【請求項２】
前記電力制御システムは、前記第１コンセントを介しての前記第１機器への電力供給をオンおよびオフする第１電力供給手段と、前記第２コンセントを介しての前記第２機器への電力供給をオンおよびオフする第２電力供給手段と、を備え、
前記電力制御手段は、前記第１機器への電力供給が停止される場合に、前記第１電力供給手段に前記第１機器への電力供給をオフするよう指示し、かつ、前記保持手段によって保持された前記情報に基づいて、前記第２電力供給手段に前記第２機器への電力供給をオフするように指示することを特徴とする請求項１に記載の電力制御システム。
【請求項３】
前記第１機器および前記第２機器は、互いに通信可能であることを特徴とする請求項１または２に記載の電力制御システム。
【請求項４】
前記電力制御手段は、前記第１機器及び前記第２機器に供給される電力が停止される前に、前記第１機器に対してシャットダウンするよう指示することを特徴とする請求項１乃至３の何れか１項に記載の電力制御システム。
【請求項５】
前記第１機器は、
前記シャットダウンの指示を受信する受信手段と、
前記受信手段が前記指示を受信した場合に、前記第１機器のシャットダウンを実行する実行手段と、
前記受信手段が前記指示を受信した場合に、前記第２機器にシャットダウンするよう指示する指示手段と、を有することを特徴とする請求項４に記載の電力制御システム。
【請求項６】
前記電力制御手段は、前記第１機器及び前記第２機器が共にシャットダウンした後に、前記第１機器および前記第２機器への電力供給を停止させることを特徴とする請求項５に記載の電力制御システム。
【請求項７】
前記電力制御手段は、前記第１機器に対してシャットダウンするよう指示した後、所定時間が経過したことに基づいて、前記第１機器および前記第２機器への電力供給を停止させることを特徴とする請求項４に記載の電力制御システム。
【請求項８】
前記電力制御手段は、前記第１機器又は前記第２機器の消費電力を監視し、前記消費電力が所定の消費電力以下になったことに基づいて、前記第１機器および前記第２機器への電力供給を停止させることを特徴とする請求項４に記載の電力制御システム。
【請求項９】
前記第１機器は、前記第１機器に関連する機器が前記第２機器であることを示す情報を前記電力制御手段に通知する通知手段を有し、
前記保持手段は、前記通知された情報に基づいて、前記情報を保持することを特徴とする請求項１乃至８の何れか１項に記載の電力制御システム。
【請求項１０】
前記通知手段は、前記第１機器は、前記第１機器及び前記第２機器を含む機器システムの構成を示す情報を前記電力制御装置に通知し、
前記電力制御装置は、前記通知手段から通知された前記前記機器システムの構成を示す情報に基づいて、電力を供給すべき機器を決定する、ことを特徴とする請求項９に記載の電力制御システム。
【請求項１１】
前記第１機器は、用紙に画像を形成する画像形成装置であって、前記第２機器は、前記画像形成装置によって画像が形成された用紙に対して後処理を実行する後処理装置である、ことを特徴とする請求項１乃至１０の何れか１項に記載の電力制御システム。
【請求項１２】
前記第１機器は、外部装置から印刷要求を受信するプリントサーバであって、前記第２機器は、前記プリントサーバから送信される画像データに基づいて、用紙に画像を形成する画像形成装置である、ことを特徴とする請求項１乃至１１の何れか１項に記載の電力制御システム。
【請求項１３】
第１コンセントを介して供給される電力を使って動作する第１機器、および、第２コンセントを介して供給される電力を使って動作する第２機器それぞれへの電力供給を制御するための電力制御装置であって、
前記第１機器および前記第２機器が関連していることを示す情報を保持する保持手段と、
前記第１機器への電力供給が停止される場合に、前記保持手段によって保持された前記情報に基づいて、前記第２機器への電力供給も停止させる電力制御手段と、
を有することを特徴とする電力制御装置。
【請求項１４】
前記電力制御装置は、前記第１コンセントを介しての前記第１機器への電力供給をオンおよびオフする第１電力供給手段、および、前記第２コンセントを介しての前記第２機器への電力供給をオンおよびオフする第２電力供給手段のそれぞれと通信可能であり、
前記電力制御手段は、前記第１機器への電力供給が停止される場合に、前記第１電力供給手段に前記第１機器への電力供給をオフするよう指示し、かつ、前記保持手段によって保持された前記情報に基づいて、前記第２電力供給手段に前記第２機器への電力供給をオフするように指示することを特徴とする請求項１３に記載の電力制御装置。
【請求項１５】
第１コンセントを介して供給される電力を使って動作する第１機器、および、第２コンセントを介して供給される電力を使って動作する第２機器それぞれへの電力供給を制御するための電力制御方法であって、
前記第１機器および前記第２機器が関連していることを示す情報を保持する保持工程と、
前記第１機器への電力供給が停止される場合に、前記保持された前記情報に基づいて、前記第２機器への電力供給も停止させる電力制御工程と、
を有することを特徴とする電力制御方法。
【請求項１６】
前記電力制御工程は、前記第１機器への電力供給が停止される場合に、前記第１コンセントを介しての前記第１機器への電力供給をオンおよびオフする第１電力供給手段に前記第１機器への電力供給をオフするよう指示し、かつ、前記保持工程で保持された前記情報に基づいて、前記第２コンセントを介しての前記第２機器への電力供給をオンおよびオフする第２電力供給手段に前記第２機器への電力供給をオフするように指示する指示工程を含むことを特徴とする請求項１５に記載の電力制御方法。
【請求項１７】
請求項１乃至１４の何れか１項に記載の電力制御装置の有する各手段として、コンピュータを機能させるためのプログラム。
【手続補正２】
【補正対象書類名】明細書
【補正対象項目名】０００８
【補正方法】変更
【補正の内容】
【０００８】
本発明は、第１コンセントを介して供給される電力を使って動作する第１機器と、第２コンセントを介して供給される電力を使って動作する第２機器と、前記第１機器および前記第２機器への電力供給を制御するための電力制御装置と、を備える電力制御システムであって、前記電力制御装置は、前記第１機器および前記第２機器が関連していることを示す情報を保持する保持手段と、前記第１機器への電力供給が停止される場合に、前記保持手段によって保持された前記情報に基づいて、前記第２機器への電力供給も停止させる電力制御手段と、を有することを特徴とする。
【手続補正３】
【補正対象書類名】明細書
【補正対象項目名】発明の名称
【補正方法】変更
【補正の内容】
【発明の名称】電力制御システム、電力制御装置、電力制御方法及びプログラム